(57)【要約】【課題】本発明はスマート端末機カメラリモコンに関することで、本発明の目的は端末機のカメラ機能を遠隔で制御できて撮影と関連し、使用者の便宜性を大きく向上させることができ、特にリモコン装置の価格を下げ、待機時間を伸ばすことができるスマート端末機カメラリモコンを提供することである。【解決手段】本発明によるスマート端末機カメラリモコンは、スマート端末機に搭載されたカメラモジュールの撮影動作を含む撮影関連機能を操作するための複数の入力ボタンと；上記入力ボタンに対応する制御信号を上記スマート端末機へ送信するためのブルートゥースローエナジーモジュールと；光を外部へ放つＬＥＤランプ；及び上記スマート端末機に設置されたアプリケーションプログラムが活性化された状態で、何れかの一つのランプを点滅させてこれを表示するように制御する中央処理ユニットを含むのを特徴とする。【選択図】図１
2014003579.tif 000002
【特許請求の範囲】
【請求項１】
カメラモジュールと上記のカメラモジュールを通じた撮影関連機能を実現させるためのアプリケーションプログラムが記録されたメモリ及びブルートゥースローエナジーモジュールを具備するスマート端末機の上記撮影関連機能を制御するリモコンとして、上記リモコンは、上記カメラモジュールの撮影動作を含む上記撮影関連機能を操作するための複数の入力ボタン；上記入力ボタンに対応する制御信号を上記スマート端末機へ送信するためのブルートゥースローエナジーモジュール；光を外部へ放つＬＥＤランプ；及び上記アプリケーションプログラムが起動した状態で、何れかの一つのボタンが押されるとペアリングモードへ移行させ、上記ペアリングモードへ移行時上記ＬＥＤランプを点滅させてこれを表示させるように制御する中央処理ユニットを含むのを特徴とするスマート端末機カメラリモコン。
【請求項２】
第１項に於いて、
上記中央処理ユニットは、上記ペアリング完了時に上記ＬＥＤランプを消灯（または点灯）させ、これを表示するように構成されたのを特徴とするスマート端末機カメラリモコン。
【請求項３】
第１項に於いて、
上記リモコンは、該当リモコンに付与された固有の識別コードが記録されたメモリを追加で含み、上記スマート端末機に上記識別コードを提供するように構成されたのを特徴とするスマート端末機カメラリモコン。
【請求項４】
第３項に於いて、
上記スマート端末機は、
上記リモコンへ上記識別コードの電送を要請する識別コード要請機能；電送を受けた上記識別コードの適正を判別する識別コード判別機能；及び上記識別コード判別結果、不適切な識別コードであったり、または、上記識別コードの受信失敗時に上記スマート端末機と上記スマート端末機カメラリモコンの間の通信連結を強制終了させる強制終了機能を加えて実現させるための上記アプリケーションプログラムが記録されたメモリを具備するのを特徴とするスマート端末機カメラリモコン。
【請求項５】
第１項に於いて、
上記複数の入力ボタンは、
上記スマート端末機の写真または動画撮影を実行させるための第１入力ボタン；及び押された設定時間を基準として上記臨界時間未満の時は上記スマート端末機の前・後方カメラモードの間の転換を発生させ、上記設定時間以上の時はカメラモジュールのズームイン（ＺＯＯＭ  ＩＮ）及びズームアウト（ＺＯＯＭ  ＯＵＴ）を実行させる第２入力ボタンにて構成されたのを特徴とするスマート端末機カメラリモコン。
【請求項６】
第１項に於いて、
上記スマート端末機の上記アプリケーションプログラムは、
上記アプリケーションプログラムの実行時上記スマート端末機に搭載された上記ブルートゥースローエナジーモジュールを自動で検索し、活性化させるのと特徴とするスマート端末機カメラリモコン。
【請求項７】
第１項に於いて、
上記リモコンの駆動のための電源供給部を加えて含み、上記電源供給部はコインセルバッテリーで構成されたのを特徴とするスマート端末機カメラリモコン。
【発明の詳細な説明】
【技術分野】
【０００１】  本発明はスマート端末機カメラリモコンに関することで、詳しくは携帯電話、スマートフォン、スマートパッド、タブレットＰＣを含む携帯用電子情報端末機の撮影関連機能を遠隔で操作できるスマート端末機カメラリモコンに関することである。
【背景技術】
【０００２】  一般的に携帯電話、スマートフォン、スマートパッド、タブレットＰＣを含む携帯用電子情報端末機は無線の音声通信用として使用され始めたが、次第にその機能領域が多様になることによって音声通信機能と共にインターネット、マルチメディアなどの映像サービスの提供を受けるだけではなく、欲しい被写体を映像ファイルで保存できるように撮影関連機能を実現するカメラモジュールが搭載された形態で提供されるのが一般的である。
このようにカメラモジュールが搭載された携帯用電子情報端末機は使用者が端末機に具備された表示部を通じてカメラの位置を把握し、端末機の入力部を利用してカメラを制御することになる。
しかし、従来のカメラ機能を持つ端末機は使用者自身を含めて撮影する場合、使用者自身が直接シャッターを押さなければならないので、使用者の手の長さより遠いところからは撮影構図が取れない限界があった。
このような従来の端末機のカメラ撮影時の限界或は不便を解決するために韓国公開特許第２００５−００４１７６４号はＲＦ及びＡＭ、ＦＭ、赤外線などを利用して信号を送受信する電波送受信端と電波受信手段及び携帯電話入出力端子に接続された外部連結端を通じて遠隔にて端末機のカメラ機能が制御できる技術を開示している。また、韓国公開特許第２００５−００５４７０５号もこれと類似の技術構成を開示している。
しかし、このような従来の技術の場合はカメラの遠隔制御のために多数の追加構成品を必要として費用が増大することと、カメラの遠隔制御を実行する度に使用者は直接電波受信手段を起動し接続しなければならない不便があった。また、使用者は無線通信連結状態が正常になっているのかを実時間で確認しにくい問題点があった。
【発明の概要】
【解決しようとする課題】
【０００３】  本発明は上記のような問題点を解決するために案出されたもので、本発明の目的は端末機のカメラ機能を遠隔で制御できて撮影と関連された使用者の便宜性を大きく向上させることが可能で、特にリモコン装置の価格をさげ、待機時間を伸ばしたスマート端末機のカメラリモコンを提供するものである。
【課題を解決するための手段】
【０００４】  上記の目的を達成するための、本発明によるスマート端末機カメラリモコンはスマート端末機に搭載されたカメラモジュールの撮影動作を含む撮影関連機能を操作するための複数の入力ボタンと；上記入力ボタンに対応する制御信号を上記のスマート端末機へ送信するためのブルートゥースローエナジーモジュールと；光を外部へ放つＬＥＤランプ；及び上記のスマート端末機に設置されたアプリケーションプログラムが起動された状態で上記の入力ボタンのどれかが押されるとペアリングモードへ移行し、上記のペアリングモードへ移行の際には、上記のＬＥＤランプを点滅させ、これを表示するように制御する中央処理ユニットを含むのを特徴とする。
【発明の効果】
【０００５】  本発明によるスマート端末機カメラリモコンによって、端末機のカメラ機能を遠隔で制御が可能になり、端末機を遠距離に置いて撮影が可能になるため多様な演出が可能で、特にブルートゥースローエナジー技術を適用することで非常に少ない電力の消耗、大きさの縮小及び廉価のリモコンを提供できる優れた効果がある。
また、スマート端末機に搭載されたアプリケーションプログラムとの連動を通じて通信連結のためのペアリングを容易かつ便利に実施でき、その上にペアリングモード移行、通信連結及び連結終了のような各通信状態を視覚的に表示及び提供が可能なので、使用者の便宜性をより向上させることができるメリットがある。
尚、スマート端末機に搭載されたアプリケーションプログラムとの連動を通じて他者の模倣製品或は非正品の使用の遮断が可能で、リモコン製造社の立場ではこれによる金銭的損失及び開発意欲の低下を防止できる利点を持つ。
【図面の簡単な説明】
【０００６】
【図１】本発明によるスマート端末機及びスマート端末機カメラリモコンの関係図。
【図２】本発明によるスマート端末機カメラリモコンの外観を図示した斜視図。
【図３】本発明によるスマート端末機カメラリモコンの背面図。
【図４】本発明によるスマート端末機カメラリモコンの構成を図示したブロック構成図。
【図５】本発明によるアップリケーションプログラムの多様な機能を図示したブロック機能図。
【図６】本発明によるアプリケーションプログラムによってスマート端末機に表示されるアプリケーション画面の一例。
【発明を実施するための具体的な形態】
【０００７】  本発明はスマート端末機のカメラ機能を遠隔で制御が可能で使用者の便宜性を大きく向上させることができ、特にブルートゥースローエナジー技術を適用することによって装置の価格を下げて待機時間を増加させることができ、使用者はペアリングを容易に施できる技術特徴を開示する。
以下で添付された図面を参照して本発明の望ましい実施例、長所及び特徴に対して詳細に説明する。
図１は本発明によるスマート端末機及びスマート端末機カメラリモコンの関係図である。図１を参照すると、本発明のスマート端末機カメラリモコンはスマート端末機のカメラ機能を遠隔で制御できるように構成されていることを特徴とする。
従って、本発明のスマート端末機カメラリモコンの遠隔制御対象となるスマート端末機（１００）は写真（または動画）が撮影できるカメラモジュール（１２０）、中央処理装置（ＣＰＵ：１１０）、メモリ及びディスプレイ部（１５０）を具備する電子通信機器を含む。代表的な例として、スマートフォン、スマートパッド、ノートブック、ネットブック、ＰＤＡなどが挙げられる。
本発明のスマート端末機（１００）は望ましくは通信業者より提供される多様な通信網を通じて写真、動画、ＳＭＳ、ＭＭＳを含むデーターの電送及びインターネット接続が可能な有無線通信機能を具備する。参考として、上記の通信網（２０）は第三世代移動通信（３Ｇ）網、第四世代移動通信（４Ｇ）網を初め、ワイファイ（Ｗｉ−ｆｉ）網が例として挙げられる。
本発明のスマート端末機（１００）はカメラ及び撮影映像と関連された多様な機能を実現させるためのアプリケーションプログラム（Ａｐｐｌｉｃａｔｉｏｎ  Ｐｒｏｇｒａｍ：１３０）が設置されるのを特徴とし、本発明のスマート端末機カメラリモコンはこのように対象スマート端末機に搭載されたアプリケーションプログラム（１３０）の中継を通じてカメラ機能を遠隔で操作でき、他社の模倣製品或は非正品の使用が防止できる。本発明のアプリケーションプログラム（１３０）の具体的な機能に対する説明は後述する。
また、アプリケーションプログラム（１３０）はスマート端末機のメモリに記録されるが、上記のメモリの他に外付けメモリの使用も可能である。
尚、本発明のスマート端末機はカメラリモコンよりカメラ機能の制御信号を受信するための近距離無線通信モジュールを具備するが、上記の近距離無線通信モジュールとしてはブルートゥース（Ｂｌｕｅｔｏｏｔｈ）通信モジュールが望ましく、さらに詳しく言えばブルートゥースローエナジー（Ｂｌｕｅｔｏｏｔｈ  Ｌｏｗ  Ｅｎｅｒｇｙ）機能を含む「ブルートゥース４．０」モジュール（１４０）にて構成される。
図２は本発明による端末機カメラリモコンの外観を図示したもので、図３は本発明による端末機カメラリモコンの背面図で、図４は本発明によるスマート端末機カメラリモコンの構成を図示したブロック構成図である。
図２及び図４を参照すると、本発明のスマート端末機カメラリモコン（２００）は外部ケース（２０５）、複数の入力ボタン（２２０）、ブルートゥースローエナジーモジュール（２４０）、ＬＥＤランプ（２３０）、中央処理ユニット（２１０）、電源供給部（２７０）及び内蔵アンテナ（２５０）を含めて構成される。
本発明の外部ケース（２０５）はスマート端末機カメラリモコンの各構成部を包んで保護し、外観を形成する部材として入力ボタンとＬＥＤランプ（２３０）の発光が外部から確認できるように装着されていて、内部にはブルートゥースローエナジーモジュール（２４０）、中央処理ユニット（２１０）、メモリ、電源供給部（２７０）及び内蔵アンテナ（２５０）にて構成されている。
図２の望ましい実施例による外部ケース（２０５）は直六面体の形状で構成され、全面に一つの入力ボタンが備えられ、側面にはもう一つの違うボタンが備えられている。それから外部ケース（２０５）の前端部には携帯用またはスマート端末機連結用のコードが取り付けできるように”コ“の字形の結束装置（２８０）を一体に形成した。
本発明の入力ボタンは複数のものが備えられるが、図２の望ましい実施例によるスマート端末機カメラリモコンは二つの入力ボタン（以下、「第１入力ボタン及び第２入力ボタン」と言う）にて構成した。
第１入力ボタン（２２１）は外部ケース（２０５）の前面に露出状態で装着されてスマート端末機へ写真または動画の撮影を命令するためのボタンで、具体的には第１入力ボタン（２２１）を１回押すとスマート端末機の写真（または動画）の撮影が始まる。
第２入力ボタン（２２２）は外部ケース（２０５）の片方の側面に露出状態で装着されてスマート端末機とリモコンの間の通信連結の有無を基準としておのおの違う機能が動作するように構成した。
先ず、スマート端末機とリモコンの間の通信が連結される前の状態ではペアリングモードへの移行を命令するための機能を遂行する。
具体的な実施例によると、スマート端末機に設置されたアプリケーションプログラム（１３０）を実行させると該当のアプリケーションプログラム（１３０）は該当のスマート端末機に搭載されたローエナジーブルートゥース通信連結状態を作ることになる。
また、上記のペアリングモードへの進入後、上記の第２入力ボタン（２２２）をもう１回押すと上記のペアリングが取消されるように構成した。
次に、スマート端末機とリモコンの間が通信連結された状態では前・後方カメラの切り替え及びズーム（Ｚｏｏｍ）を命令するための機能を遂行する。
この時、第２入力ボタン（２２２）はボタンが押された設定時間未満の時には上記のスマート端末機の前・後方カメラモードの間の切り替えを実行させる。また、上記の設定時間以上の時にはズーム機能を実行させる。
具体的な実施例によると、第２入力ボタン（２２２）を短く（例えば１秒未満）押すとスマート端末機の前方カメラモードと後方カメラモードの間の転換を実行させ、第２入力ボタン（２２２）を長く（例えば１秒以上）押すとカメラモジュール（１２０）のズームイン（ＺＯＯＭ  ＩＮ）及びズームアウト（ＺＯＯＭ  ＯＵＴ）を実行させるように構成した。
本発明のカメラリモコンに搭載されるブルートゥースローエナジーモジュール（２４０）はカメラのリモコンとスマート端末機の間の近距離無線通信のための手段であり、望ましくはブルートゥース（Ｂｌｕｅｔｏｏｔｈ）通信モジュールであって、もっと具体的にはブルートゥースローエナジー（Ｂｌｕｅｔｏｏｔｈ  Ｌｏｗ  Ｅｎｅｒｇｙ）機能を含む「ブルートゥース４．０」モジュールにて構成される。
円滑な無線通信のためには望ましくはアンテナがさらに具備されるべきであるが、本発明によるスマート端末機カメラリモコンは内蔵型アンテナ（２５０）を採用し、外部ケース（２０５）の内部にアンテナ（２５０）を一体で内蔵取り付けできるように構成した。
本発明のＬＥＤランプ（２３０）はＬＥＤ素子にてできた光源を含むように構成されてＬＥＤ光を外部へ放つ構成部である。図２及び図４の望ましい実施例によると、ＬＥＤランプ（２３０）はＬＥＤ光源が少なくても外部ケース（２０５）の前面に露出されるように装着され、第２入力ボタン（２２２）によるペアリングモード進入及びペアリング完了状態を使用者へ視覚的に表示してくれる機能を実現する。
本発明の中央処理ユニット（２１０）は使用者が第１入力ボタン（２２１）または第２入力ボタン（２２２）を押す時、それに対応する信号を出力してスマート端末機へ電送することで目的とする撮影関連機能を発生させるようにする。
本発明のスマート端末機はアプリケーションプログラム（１３０）を実行させると、上記のアプリケーションプログラム（１３０）は自動でブルートゥースローエナジーを探索してこれを起動させると同時にカメラリモコンと通信連結のための案内画面を表示する。
特に、本発明の中央処理ユニット（２１０）はこのようにアプリケーションプログラム（１３０）が実行された状態で第２入力ボタン（２２２）が押されるとカメラリモコンをペアリングモードへ移行させ、上記のペアリングモード進入の時に外部ケース（２０５）に備えられたＬＥＤランプ（２３０）を点滅させてこれを使用者へ視覚的に知らせるように制御する機能を実現する。ここで、ＬＥＤランプ（２３０）の点滅を制御することはＬＥＤランプ（２３０）が短い間隔で点滅するように制御することを意味するが、持続的に点灯された状態を維持するようにも構成することもできる。
また、中央処理ユニット（２１０）は上記のペアリングモード進入の後、ペアリング完了時に上記のＬＥＤランプ（２３０）を消灯（または点灯維持）させることでスマート端末機とカメラリモコンの間にブルートゥース通信連結された状態を外部へ表示するように制御する。
尚、中央処理ユニット（２１０）はアプリケーションプログラム（１３０）の要求がある時にカメラリモコンのメモリに保存された識別コード（２６０）を参照して、これをスマート端末機へ電送する機能を加えて実現するように構成されたのを特徴とする。これに対する詳しい説明は後述することにする。
本発明の識別コード（２６０）は製品カメラリモコンと非正品カメラリモコン（即ち、模倣製品）の間の識別のために各製品カメラリモコンことに固有のコードが付与され、カメラリモコンに具備されたメモリに記録保存される。このような識別コード（２６０）は数字、英文／国文、記号の中で選択された何れかの一つになっているか、またはこれらを組み合わせることも可能である。
本発明の電源供給部（２７０）はスマート端末機カメラリモコンの駆動のための電力を供給する構成部であり、２次電池のように再使用可能なバッテリーで構成することも可能であるが、望ましくはコインセルバッテリーを使用することが良い。
図２または図４の実施例の電源供給部（２７０）はボタン型のＣＲ２０３２水銀電池を採用し、上記の場合は外部ケース（２０５）の内部にバッテリーボックスを設け、上記のバッテリーボックスは外部ケース（２０５）の底面に着脱できるボックスカバー（２０７）によって開閉されるように構成した。
図５は本発明によるアプリケーションプログラムの多様な機能を図示したブロック機能図で、図６は本発明によるアプリケーションプログラムにてスマート端末機に表示されるアプリケーション画面の一例である。
本発明のスマート端末機に設定されるアプリケーションプログラム（１３０）はカメラリモコンと連動して遠隔でスマート端末機の撮影関連機能を操作し、使用できるように案内する構成部である。具体的に、本発明のアプリケーションプログラム（１３０）は自動サーチ機能（１３６）、写真／動画切り替え機能（１３１）、前・後方カメラ切り替え機能（１３２）、アルバム機能（１３３）、フラッシュ操作機能（１３４）、リモコンバッテリー状態チェック機能（１３５）及び製品認証機能（１６０）を実現させるように構成されたのを特徴とする。
自動サーチ機能（１３６）は使用者がスマート端末機に設置されたアプリケーションプログラム（１３０）を実行させると、上記のアプリケーションプログラム（１３０）は自動でブルートゥースローエナジーを探索してこれを起動させると同時に図６のようにスマート端末機ディスプレイ部（１５０）に表示されたアプリケーション画面（３００）上にカメラリモコンと通信連結のための案内画面（３１０）を表示し、また、自動でブルートゥース通信連結待機状態へ進入させる機能を意味する。
参考までに、図６の実施例の場合カメラリモコンのアイコンをアプリケーション画面（３００）に表示して、第２入力ボタン（２２２）のクリックを案内する文句を表示するように構成した。上記のような状態で使用者がカメラリモコンの第２入力ボタン（２２２）を押すとカメラリモコンはペアリングモードへ進入してブルートゥース通信連結を始めるようになる。
写真／動画切り替え機能（１３１）は写真撮影モードと動画撮影モードをアプリケーション画面（３００）上で命令して転換させる機能で、図６の実施例の場合、アプリケーション画面（３００）の下段に写真／動画切り替え機能を表すアイコン（３２０）を表示し、これをタッチする度に写真撮影モードと動画撮影モードの間の転換を発生させるように構成した。
前・後方カメラ転換機能（１３２）はスマート端末機の前方側の撮影モードと後方側撮影モードをアプリケーション画面（３００）上で命令して転換させる機能で、図６の実施例の場合アプリケーション画面（３００）の下段に前・後方カメラ転換機能を表すアイコン（３３０）が表示され、上記アイコン（３３０）をタッチする度に前方カメラと広報カメラの切り替えを発生させるように構成した。
また、上記の前・後方カメラ転換機能は前述したアプリケーション画面（３００）上のアイコン（３３０）は勿論、カメラリモコンの第２入力ボタン（即ち、第２入力ボタンを短く押す）を通じても操作が可能である。
アルバム機能（１３３）はスマート端末機を通じて撮影した写真（または動画）を集めて置いたアルバムを提供する機能で、図６の実施例の場合アプリケーション画面（３００）の下段にアルバム機能を表すアイコン（３４０）が表示されるように構成される。上記のアイコン（３４０）をタッチすると写真（または動画）が保存されたアルバムへリンクされており写真（または動画）を見ることができ、また、保存したい写真（または動画）を選択及び編集できるように構成される。事前に見ることが出来、また選択した写真（または動画）を編集できるように構成される。
フラッシュ操作機能（１３４）はスマート端末機に設置されたフラッシュ（Ｆｌａｓｈ）のオン（Ｏｎ）／オフ（Ｏｆｆ）をアプリケーション画面（３００）上で選択できるようにする機能で、図６の実施例の場合、アプリケーション画面（３００）の下段にこれを操作するためのアイコン（３５０）が表示されるように構成される。
リモコンバッテリー状態チェック機能（１３５）はカメラリモコンに収納されている電源供給部（即ち、コインセルバッテリー）の残量情報をカメラリモコンより提供を受け、これをアプリケーション画面（３００）上に表示して提供する機能で、例えば多数のバー（Ｂａｒ）でできたアイコンにて形成し、バッテリーの残量によって段階別に区分してバーを表示するように構成できる。
製品認証機能（１６０）は他社の模倣製品または非正品の使用を防止するための機能で、具体的には識別コード要請機能（１６１）、識別コード判読機能（１６２）及び強制終了機能（１６３）を含めて構成される。
先ず、識別コード要請機能（１６１）は本発明のアプリケーションプログラム（１３０）の実行後、カメラリモコンの第２入力ボタン（２２２）を通じてスマート端末機とカメラリモコンの間の通信連結が完了されるとカメラリモコンより識別コート（２６０）を持って来る機能を意味する。即ち、スマート端末機はアプリケーションプログラム（１３０）の識別コード要請機能によってカメラリモコンへ識別コード（２６０）の電送を要請すると、カメラリモコンはこれに対応してメモリに貯蔵された識別コード（２６０）を検索してこれに対する情報をスマート端末機へ伝送するようになる。
それから、スマート端末機はアプリケーションプログラム（１３０）の識別コード判読機能（１６２）を通じて該当のカメラリモコンが正常的に登録されたリモコンであるかの可否を判別することになるが、具体的には上記のカメラリモコンより受信した識別コード（２６０）が適切な識別コードであるかを判別することになる。
ここで、上記の「適切な識別コード」と言うのは該当のカメラリモコンを製造した会社のデータベースに登録された識別コードと一致する識別コードを意味する。
上記の識別コードの判別の結果、不適切な識別コードであったり、またはカメラリモコンへ識別コード（２６０）の電送を要請したのにも関わらず、これに対する信号を受信できなかった場合、該当スマート端末機カメラリモコンは他社の模倣製品或は非正品と認識し、上記のスマート端末機と上記のスマート端末機カメラリモコンの間の通信連結を強制終了（即ち、強制終了機能（１６３））させることになる。
また、本発明のアプリケーションプログラム（１３０）は前述した機能の他に、図６の通りアプリケーション画面（３００）の下段にカメラリモコンの動作説明書を提供し、必要の時にはアプリケーションまたはリモコンの多様な便利機能を変更及び設定できるように構成される。
上記のような構成による本発明のスマート端末機カメラリモコンの動作の流れを調べてみると次の通りである。
先ず、カメラリモコンにバッテリーを挿入して電源を入れた状態でスマート端末機に設定されたアプリケーションプログラム（１３０）を実行させる。
アプリケーションプログラム（１３０）が起動せれると自動でブルートゥースローエナジーが探索された後、連結案内画面（３１０）がアプリケーション画面（３００）に表示提供される。
この時、使用者が案内画面（３１０）の通りにカメラリモコンの第２入力ボタン（２２２）を押すと、ＬＥＤランプ（２３０）が点滅しながらペアリングモードへ移行してスマート端末機とカメラリモコンを自動で通信連結させるようになる。
また、スマート端末機はアプリケーションプログラム（１３０）の製品認証機能を通じて該当のスマート端末機カメラリモコンが正常的に登録されたリモコンであるかの可否を判断した後、その結果によって上記の通信連結状態を維持させるか、または、強制終了させることもできる。
上記の通信連結及び製品認証が完了されると、アプリケーション画面（３００）にブルートゥースロゴとバッテリーの状態が表示され、カメラリモコンのＬＥＤランプは消灯する。
上記の通り通信連結された状態で、使用者はカメラリモコンの第１入力ボタン（２２１）と第２入力ボタン（２２２）を利用して写真（または動映像）の撮影、前・後方カメラモードの切り替え及びズームイン／アウトのような多様な撮影関連機能を遠隔で操作することが出来る。
上記で本発明の望ましい実施例が特定用語を使用して説明及び図示されたが、これらの用語は唯、本発明を明確に説明するためのことであって、本発明の実施例及び記述された用語は次の請求範囲の技術的思想及び範囲より離脱されることなく、様々な変更及び変化が加えられることは確かなことである。このように変形された実施例などは本発明の思想及び範囲より個別的に理解されてはならず、本発明の請求範囲の中に属するべきであると思う。
【符合の説明】
【０００８】１００：スマート端末機      １１０：中央処理装置
１２０：カメラモジュール    １３０：アプリケーションプログラム
１４０、２４０：ブルートゥースローエナジーモジュール
２００：スマート端末機カメラリモコン
２０５：外部ケース          ２１０：中央処理ユニット
２２１：第１入力ボタン      ２２２：第２入力ボタン
２３０：ＬＥＤランプ        ２５０：内蔵型アンテナ
２６０：識別コード          ２７０：電源供給部
３００：アプリケーション画面
【図１】
2014003579.tif 000003
【図２】
2014003579.tif 000004
【図３】
2014003579.tif 000005
【図４】
2014003579.tif 000006
【図５】
2014003579.tif 000007
【図６】
2014003579.tif 000008